(57)【要約】【課題】  開蓋時に簡単に開蓋できるとともに、片手でも弱い力で開蓋できるようにしたヒンジキャップを提供すること。【解決手段】  容器の口筒部に取着され、キャップ本体と上蓋からなるヒンジキャップにおいて、キャップ本体は、注出筒と、蓋係合筒部と、外周上端にヒンジを連設する外周筒部とを具え、外周筒部のヒンジの反対側の外周には、上端から所定の高さまで開蓋凹部が凹設され、開蓋凹部は、上端から下方に延びる外面と、外面下端部から外側下方に延びる傾斜面が形成され、上蓋は、頂壁と、外筒壁とを具え、外筒壁の内周下部には、蓋係合筒部と係合する係合部が設けられ、外筒壁のヒンジの反対側には、変形可能な薄肉部が形成され、下端部に、下方に延びる押ボタン部が連設され、押ボタン部の下端部は、押ボタン部操作時にキャップ本体の開蓋凹部の傾斜面に当接することを特徴とする。【選択図】  図１
2014125256.tif 000002
【特許請求の範囲】
【請求項１】
容器の口筒部に取着され、キャップ本体と上蓋からなるヒンジキャップにおいて、
キャップ本体は、注出筒と、蓋係合筒部と、外周上端にヒンジを連設する外周筒部とを具え、
外周筒部のヒンジの反対側の外周には、上端から所定の高さまで開蓋凹部が凹設され、
開蓋凹部は、上端から下方に延びる外面と、外面下端部から外側下方に延びる傾斜面が形成され、
上蓋は、頂壁と、外筒壁とを具え、
外筒壁の内周下部には、蓋係合筒部と係合する係合部が設けられ、
外筒壁のヒンジの反対側には、変形可能な薄肉部が形成され、下端部に、下方に延びる押ボタン部が連設され、
押ボタン部の下端部は、押ボタン部操作時にキャップ本体の開蓋凹部の傾斜面に当接することを特徴とするヒンジキャップ。
【請求項２】
外筒壁の外周のヒンジの反対側に凹部を凹設し、該部分が外筒壁の他の部分の周壁の厚さに比べ薄肉となることを特徴とする請求項１記載のヒンジキャップ。
【請求項３】
押ボタン部は、外筒壁より外方に突出して下方に延び、下端部が内方に向くように形成されていることを特徴とする請求項１または２記載のヒンジキャップ。
【請求項４】
押ボタン部は、外筒壁の下端部に突設される連結部と、連結部の下面外縁に変形可能な弱化部を介して垂設された変形押ボタンとからなり、
変形押ボタンの下端部が、キャップ本体の開蓋凹部の傾斜面に当接することを特徴とする請求項１〜３のいずれかに記載のヒンジキャップ。
【請求項５】
外周筒部は、蓋係合筒部の外縁に上端が連設される外筒と、外筒のヒンジの反対側に突設される連結部と、外筒から一定の間隔を隔てて連結部の両方の外方側面から連設される円弧状の外周壁とを具え、
外周壁の外周上端にヒンジが連設され、
連結部の外周に、開蓋凹部が凹設されていることを特徴とする請求項１〜４のいずれかに記載のヒンジキャップ。
【請求項６】
外周筒部のヒンジの反対側の外周に、開蓋凹部の傾斜面から下端まで封緘受部が設けられ、
押ボタン部の下端に、破断可能な薄肉の弱化連結部を介して封緘受部に嵌入される封緘片が連設されていることを特徴とする請求項１〜５のいずれかに記載のヒンジキャップ。
【請求項７】
押ボタン部の下部中央に下凹部が形成され、
下凹部の下面内縁に、破断可能な薄肉の弱化連結部を介して封緘片が連設されていることを特徴とする請求項６記載のヒンジキャップ。
【発明の詳細な説明】
【技術分野】
【０００１】
本発明は、容器本体の口筒部に装着されるキャップ本体にヒンジを介して上蓋が連設されたヒンジキャップに関し、とくに簡単に開蓋できるヒンジキャップに関するものである。
【背景技術】
【０００２】
容器本体の口筒部に装着されるキャップ本体と上蓋とからなるヒンジキャップにおいて、上蓋の外周壁を肉厚にし、外周壁の変形を抑え、閉蓋時にキャップ本体と上蓋との係合部の嵌合を強固にし、簡単に開蓋しないようにし、また、上蓋のヒンジの反対側につまみ等を設け、つまみ等に指を当て、押上げて開蓋するヒンジキャップは従来より知られている（例えば、特許文献１参照）。
【０００３】
また、キャップ本体の外周壁のヒンジの反対側に空洞部を介して外側壁を設け、外側壁に可撓性を有する可撓部を形成し、開蓋する際に、片手でキャップ本体または容器本体を握り、親指で可撓部を押圧して変形させ、上蓋のヒンジの反対側の下端面との間に空間を形成した後、親指を該空間の上蓋の下端面に当て替え、押上げて開蓋するヒンジキャップは従来より知られている（例えば、特許文献１参照）。
【先行技術文献】
【特許文献】
【０００４】
【特許文献１】特開２００９−２２０８４４号公報
【特許文献２】特開平１０−３３８２６０号公報
【発明の概要】
【発明が解決しようとする課題】
【０００５】
しかしながら、上記特許文献１記載のヒンジキャップでは、上蓋の外周壁の変形が抑えられているため、キャップ本体と上蓋との嵌合を簡単に外すことができず、つまみ等に指を掛けて開蓋するのに強い力が必要となっていた。
【０００６】
上記特許文献２記載のヒンジキャップでは、片手で開蓋する際に、キャップ本体または容器本体を手で握る動作と、親指で可撓部を押圧する動作と、親指で上蓋の下端面を押上げる動作とが必要であり、手間が掛かるという問題があった。
【０００７】
また、上記各特許文献記載のヒンジキャップでは、片手で開蓋する際に、キャップ本体または容器本体を手で握る動作と、親指で上蓋のヒンジの反対側を押上げる動作との動作の作用方向が異なるので、応力が大きく、開蓋するのに強い力が必要となるという問題があった。
【０００８】
本発明は、上記問題を解決することを課題とし、開蓋時に簡単に開蓋できるとともに、片手でも弱い力で開蓋できるようにしたヒンジキャップを提供することを目的とする。
【課題を解決するための手段】
【０００９】
本発明は、上記課題を解決するため、容器の口筒部に取着され、キャップ本体と上蓋からなるヒンジキャップにおいて、キャップ本体は、注出筒と、蓋係合筒部と、外周上端にヒンジを連設する外周筒部とを具え、外周筒部のヒンジの反対側の外周には、上端から所定の高さまで開蓋凹部が凹設され、開蓋凹部は、上端から下方に延びる外面と、外面下端部から外側下方に延びる傾斜面が形成され、上蓋は、頂壁と、外筒壁とを具え、外筒壁の内周下部には、蓋係合筒部と係合する係合部が設けられ、外筒壁のヒンジの反対側には、変形可能な薄肉部が形成され、下端部に、下方に延びる押ボタン部が連設され、押ボタン部の下端部は、押ボタン部操作時にキャップ本体の開蓋凹部の傾斜面に当接することを特徴とする構成を採用する。
【００１０】
上蓋の外筒壁の実施例として、外筒壁の外周のヒンジの反対側に凹部を凹設し、該部分が外筒壁の他の部分の周壁の厚さに比べ薄肉となることを特徴とする構成を採用する。
【００１１】
押ボタン部の実施例として、押ボタン部は、外筒壁より外方に突出して下方に延び、下端部が内方に向くように形成されていることを特徴とする構成、または、押ボタン部は、外筒壁の下端部に突設される連結部と、連結部の下面外縁に変形可能な弱化部を介して垂設された変形押ボタンとからなり、変形押ボタンの下端部が、キャップ本体の開蓋凹部の傾斜面に当接することを特徴とする構成を採用する。
【００１２】
キャップ本体の外周筒部の実施例として、外周筒部は、蓋係合筒部の外縁に上端が連設される外筒と、外筒のヒンジの反対側に突設される連結部と、外筒から一定の間隔を隔てて連結部の両方の外方側面から連設される円弧状の外周壁とを具え、外周壁の外周上端にヒンジが連設され、連結部の外周に、開蓋凹部が凹設されていることを特徴とする構成を採用する。
【００１３】
キャップ本体の外周筒部と押ボタン部の実施例として、外周筒部のヒンジの反対側の外周に、開蓋凹部の傾斜面から下端まで封緘受部が設けられ、押ボタン部の下端に、破断可能な薄肉の弱化連結部を介して封緘受部に嵌入される封緘片が連設されていることを特徴とする構成、さらに、押ボタン部の下部中央に下凹部が形成され、下凹部の下面内縁に、破断可能な薄肉の弱化連結部を介して封緘片が連設されていることを特徴とする構成を採用する。
【発明の効果】
【００１４】
本発明のヒンジキャップは、キャップ本体の外周筒部のヒンジの反対側に開蓋凹部を凹設し、上蓋の外筒壁の下端部に開蓋凹部に係合する押ボタン部を設け、開蓋時に、押ボタン部を押し込むことで、片手でも簡単かつ弱い力で上蓋とキャップ本体との嵌合を外し、開蓋することができる。
【００１５】
また、キャップ本体に封緘受部を設け、押ボタン部の下端に弱化連結部を介して封緘片を設け、閉蓋時に封緘片が封緘受部に嵌合し、開蓋すると弱化連結部が切断されるので、弱化連結部の状態を視認することで、開蓋の有無が確認でき、不正開封を防止することができる。
【図面の簡単な説明】
【００１６】
【図１】本発明第１実施例のヒンジキャップの説明図で、（ａ）は側断面図、（ｂ）は正面図である。
【図２】ヒンジキャップの開蓋時の説明図で、（ａ）は上面図、（ｂ）は側断面図である。
【図３】押ボタン部、押し込み時の要部拡大図で、（ａ）は押し込み初動時の説明図、（ｂ）は開蓋時の説明図である。
【図４】本発明第２実施例のヒンジキャップの説明図で、（ａ）は側断面図、（ｂ）は要部拡大図である。
【図５】押ボタン部、押し込み時の要部拡大図で、（ａ）は押し込み初動時の説明図、（ｂ）は開蓋時の説明図である。
【図６】本発明第３実施例のヒンジキャップの説明図で、（ａ）は側断面図、（ｂ）は正面図である。
【図７】図６の要部の説明図で、（ａ）は押し込み前の要部拡大図、（ｂ）は押し込み初動時の要部拡大図である。
【発明を実施するための最良の形態】
【００１７】
次に、本発明のヒンジキャップについて、実施例をあげ、図面を参照して説明する。
【実施例１】
【００１８】
図１、２において、Ａは容器本体に打栓されるキャップ本体、Ｂはキャップ本体ＡにヒンジＣを介して一体成形された上蓋である。
【００１９】
キャップ本体Ａは、底壁１を内周下部に連設する注出筒２と、注出筒２の外周下端に連設されるリング状底壁３と、リング状底壁３の外縁に立設される内筒４と、内筒４の外周上端に連設されるリング状の蓋係合筒部５と、蓋係合筒部５の外縁に垂設される外周筒部６とを具えている。
【００２０】
底壁１には、注出口を開口する薄肉の弱化部７が設けられており、底壁１の上面には、弱化部７の区画内に、注出口の開口時に引上げるプルリング８が支柱を介して立設されている。
【００２１】
蓋係合筒部５の外周上部には、係合突部９が突設されている。
【００２２】
外周筒部６は、蓋係合筒部５の外縁に上端が連設される外筒１０と、外筒１０のヒンジＣの反対側に、所定の周方向の幅に厚みを持って突設される連結部１１と、外筒１０から一定の間隔を隔てて連結部１１の両方の外方側面から連設される円弧状の外周壁１２とを具え、外周壁１２の外周上端にヒンジＣが連設されている。
キャップ本体Ａは、打栓時に、内筒４外周と外筒１０内周により、口筒部を挟持することによって、容器本体の口筒部に装着される。
【００２３】
外筒１０の下端部外周と外周壁１２の下端部内周には、間隔を隔てて、破断可能な弱化片１３が複数配設されている。
【００２４】
連結部１１には、上端から所定の高さまで開蓋凹部１４が凹設されている。
開蓋凹部１４には、上端から下方に延びる外面１４ａと、外面１４ａ下端から外側下方に延びる傾斜面１４ｂが形成されている。
【００２５】
上蓋Ｂは、頂壁１５と、頂壁１５の周縁に垂設され、外周下端の所定の位置にヒンジＣを連設する外筒壁１６と、頂壁１５下面に垂設され、キャップ本体Ａの注出筒２の内周に挿入される内筒部１７とを具えている。
【００２６】
外筒壁１６の内周下部には、拡径され、キャップ本体Ａの蓋係合筒部５の上面および外周と係合する係合部１８が設けられており、また、外筒壁１６の内周の中程から係合部１８まで間には、内方に突出する突出部１６ａが周設されている。
係合部１８の内周上部は、蓋係合筒部５の係合突部９の外周に係合し、内周下部には、上部が係合突部９の下部に係合する係合突部１９が設けられている。
【００２７】
外筒壁１６のヒンジＣの反対側の外周には、中央から両側の所定の位置まで周方向に延び、下端部１６ｂを残して所定の高さまで凹設される外周凹部２０が形成されており、下端部１６ｂの中央には、外筒壁１６より外方に突出して下方に延びる押ボタン部２１が連設されている。
押ボタン部２１は、下端部２１ａが内方に向くように形成され、押ボタン部２１操作時に、キャップ本体Ａの外周筒部６の連結部１１の開蓋凹部１４の傾斜面１４ｂの外縁に当接するようになっている。
【００２８】
外周凹部２０には、裏面の係合部１８より上の位置に、中央から両側へ延びる変形用凹部２２が凹設されている。
外筒壁１６の外周凹部２０がある部分は、周壁の厚さが、他の部分の周壁の厚さに比べ薄肉となる薄肉壁部１６ｃとなっており、さらに、外筒壁１６の変形用凹部２２がある部分は、周壁の厚さが、薄肉壁部１６ｃの周壁の厚さに比べさらに薄肉となる変形薄肉部１６ｄとなっている。
【００２９】
次に、本実施例のヒンジキャップの作用効果について説明する。
上蓋Ｂの外筒壁１６の係合部１８とキャップ本体Ａの蓋係合筒部５とを嵌合させ、上蓋Ｂをキャップ本体Ａに閉蓋する。
【００３０】
閉蓋の際には、上蓋Ｂの外筒壁１６の突出部１６ａを設けたことにより、外筒壁１６の下部の保形性が良く、蓋係合筒部５と係合部１８との嵌合を保つことができる。
【００３１】
開蓋の際には、キャップ本体Ａまたは容器本体を手で握り、上蓋Ｂの押ボタン部２１に親指を当て、内方へ押し込む。
押ボタン部２１を押し込むと、下端部２１ａが、キャップ本体Ａの外周筒部６の開蓋凹部１４の傾斜面１４ｂの外縁に当接する。
そして、下端部２１ａが傾斜面１４ｂを内方に摺動し、傾斜面１４ｂの傾斜によって押ボタン部２１が上昇していく。
【００３２】
押ボタン部２１が押し込まれるとともに上昇すると、押ボタン部２１を連設した外筒壁１６の下端部１６ｂの部分を持ち上げ、さらに、付近の薄肉壁部１６ｃを上昇させる。
【００３３】
外周凹部２０内の押ボタン部２１付近の薄肉壁部１６ｃが持ち上げられると、変形薄肉部１６ｄは、他の部分の周壁より薄肉となっているので、変形薄肉部１６ｄ自体が変形して折れ曲がり、図３（ａ）に示すように、変形薄肉部１６ｄを支点に、付近の薄肉壁部１６ｃおよび下端部１６ｂが外側に向けられ、係合部１８の係合突部１９とキャップ本体Ａの蓋係合筒部５の係合突部９との係合が外されていく。
【００３４】
さらに、押ボタン部２１の押し込みにより、図３（ｂ）に示すように、上蓋Ｂの外筒壁１６の係合部１８とキャップ本体Ａの蓋係合筒部５との嵌合を押ボタン部２１付近から外しながら上蓋Ｂが上昇していく。
【００３５】
また、上蓋Ｂが上昇中に、変形薄肉部１６ｄが元の形状に戻り、この復元力により、係合部１８の係合突部１９の下面部が蓋係合筒部５の係合突部９の上面部を滑らせ、さらに上蓋Ｂを上昇させる力が付加される。
【００３６】
本実施例は、押ボタン部２１の押し込みにより、上蓋Ｂを持ち上げ、上蓋Ｂの外筒壁１６の係合部１８とキャップ本体Ａの蓋係合筒部５との嵌合を弱い力で外すことができる。
また、片手で開蓋する際に、親指で押ボタン部２１を押し込む動作を、キャップ本体Ａまたは容器本体を手で握る動作の方向に加えることができ、手で握り、親指で持ち上げる動作に比べ応力を軽減することができ、より弱い力で上蓋Ｂとキャップ本体Ａとの嵌合を外すことができる。
最後は、押ボタン部２１をそのまま押上げ、上蓋Ｂを簡単に開蓋することができる。
【００３７】
容器内の内容物を全部使用した後、容器本体から分別して廃棄する際には、キャップを開蓋し、上蓋Ｂを上方に引張ると、ヒンジＣを介してキャップ本体Ａの外周壁１２が引っ張られ、ヒンジＣ側から外周壁１２を変形させながら離していくとともに、弱化片１３を切断していく。
さらに外周壁１２を引っ張ると、ヒンジＣの反対側の連結部１１を引っ張り、連結部１１を介して外筒１０を引っ張り、連結部１１付近の外筒１０を変形し、キャップ本体Ａの外筒１０と容器本体の口筒部との嵌合が外され、キャップと容器本体とを分別廃棄することができる。
【００３８】
本実施例では、外筒壁１６のヒンジＣの反対側の外周に、外周凹部２０および変形用凹部２２を凹設し、外筒壁１６の周壁の厚さが、他の部分の周壁の厚さに比べ薄肉となる薄肉壁部１６ｃおよび変形薄肉部１６ｄとしたが、外筒壁１６のヒンジＣの反対側が、他の部分の周壁の厚さに比べ薄肉で、簡単に変形可能であればよく、外筒壁１６のヒンジＣの反対側の形状は上記形状に限定されない。
さらに、外筒壁１６の肉厚は自由に設定することができ、ヒンジＣの反対側の係合部１８上方の近傍を薄肉形状とすることが望ましい。
【実施例２】
【００３９】
次に、第１実施例の上蓋の押ボタン部の構成を変えた第２実施例について説明する。
本実施例は、第１実施例と同一の構成部分には同一の符号を付して図示して詳しい説明を省略し、相違点を中心に説明する。  
【００４０】
図４において、Ａは容器本体に打栓されるキャップ本体、Ｂはキャップ本体ＡにヒンジＣを介して一体成形された上蓋である。
【００４１】
上蓋Ｂの外筒壁１６のヒンジＣの反対側の下端部１６ｂの中央には、外筒壁１６より外方に突出して下方に延びる押ボタン部２５が連設されている。
【００４２】
押ボタン部２５は、下端部１６ｂに突設される連結部２６と、連結部２６の下面外縁に変形可能な弱化部２７を介して垂設され、外方に突出して下方に延びる変形押ボタン２８とからなっている。
変形押ボタン２８は、下端部２８ａが内方に向くように形成され、押ボタン部２５操作時に、キャップ本体Ａの外周筒部６の連結部１１の開蓋凹部１４の傾斜面１４ｂの外縁に当接するようなっている。
【００４３】
次に、本実施例のヒンジキャップの作用効果について説明する。
開蓋の際には、上蓋Ｂの押ボタン部２５の変形押ボタン２８を内方へ押し込む。
変形押ボタン２８を押し込むと、下端部２８ａがキャップ本体Ａの外周筒部６の開蓋凹部１４の傾斜面１４ｂの外縁に当接する。
そして、下端部２８ａが傾斜面１４ｂを内方に摺動し、傾斜面１４ｂの傾斜によって変形押ボタン２８が上昇していく。
【００４４】
変形押ボタン２８の上昇に対し、上蓋Ｂとキャップ本体Ａの閉蓋の嵌合が抵抗となり、弱化部２７が変形して折れ曲がっていき、変形押ボタン２８が下方を内側に向けて傾斜していくとともに、傾斜しながら変形押ボタン２８が上昇することにより、図５（ａ）に示すように、弱化部２７を介して連設した連結部２６および連結部２６に連結する付近の下端部１６ｂを外側上方に向けて移動させていく。
【００４５】
連結部２６および付近の外筒壁１６の下端部１６ｂが外側上方に向けて移動させられることで、付近の外筒壁１６の変形薄肉部１６ｄ自体が変形して折れ曲がり、さらに、連結部２６および付近の下端部１６ｂが外側上方に向けて移動することにより、付近の外筒壁１６の薄肉壁部１６ｃおよび下端部１６ｂが外側に向けられ、係合部１８の係合突部１９とキャップ本体Ａの蓋係合筒部５の係合突部９との係合が外されていく。
【００４６】
さらに変形押ボタン２８を押し込むと、図５（ｂ）に示すように、上蓋Ｂの外筒壁１６の係合部１８とキャップ本体Ａの蓋係合筒部５との嵌合を押ボタン部２５付近から外しながら上蓋Ｂが上昇していく。
【００４７】
上蓋Ｂが上昇すると、上蓋Ｂとキャップ本体Ａの閉蓋嵌合の抵抗がなくなることにより、変形薄肉部１６ｄが元の形状に戻る。
この復元力により、連結部２６および付近の下端部１６ｂが元の形状に戻され、係合部１８の係合突部１９の下面部が蓋係合筒部５の係合突部９の上面部を滑らせ、さらに上蓋Ｂを上昇させる力が付加される。
【００４８】
さらに、押ボタン部２５の弱化部２７が元の形状に戻るとともに、変形押ボタン２８の傾斜がなくなるので、変形押ボタン２８の傾斜の分、上蓋Ｂを上昇させる力となる。
その他の作用効果は、実施例１と同じである。
【００４９】
本実施例は、変形押ボタン２８の押し込みにより、上蓋Ｂの外筒壁１６の係合部１８とキャップ本体Ａの蓋係合筒部５との嵌合を弱い力で外すことができるとともに、上蓋Ｂを持ち上げることができる。
最後は、押ボタン部２５をそのまま押上げ、上蓋Ｂを簡単に開蓋することができる。
【実施例３】
【００５０】
次に、第２実施例の上蓋の押ボタン部の構成に不正開封防止機構の構成を加えた第３実施例について説明する。
本実施例は、第１および第２実施例と同一の構成部分には同一の符号を付して図示して詳しい説明を省略し、相違点を中心に説明する。  
【００５１】
図６において、Ａは容器本体に打栓されるキャップ本体、Ｂはキャップ本体ＡにヒンジＣを介して一体成形された上蓋である。
【００５２】
図６、図７（ａ）に示すように、キャップ本体Ａの外周筒部６の連結部１１のヒンジＣの反対側中央部の外周には、上端から所定の高さまで凹設された開蓋凹部１４と、開蓋凹部１４の中央部から下端まで穿設される封緘受部３０が形成されている。
【００５３】
開蓋凹部１４には、上端から下方に延びる外面１４ａと、外面１４ａ下端から外側下方に延びる傾斜面１４ｂが形成されている。
【００５４】
封緘受部３０は、開蓋凹部１４の傾斜面１４ｂの中央部を下端まで切欠く形状に形成され、開蓋凹部１４の外面１４ａに連なり下方に延びる外面３０ａと、外面３０ａの下端から内方に縮径して下端まで延びる段外面３０ｂと、傾斜面１４ｂの端部から下端に延びる両側の側面３０ｃとを具え、両側の側面３０ｃの外方下部には、中央で連結する円弧状の連結周壁３１が設けられている。
【００５５】
上蓋Ｂの外筒壁１６のヒンジＣの反対側の下端部１６ｂの中央には、外筒壁１６より外方に突出して下方に延びる押ボタン部３５が連設され、押ボタン部３５の下端には、キャップ本体Ａの封緘受部３０に嵌入される封緘片３６が破断可能な薄肉に形成された複数の弱化連結部３７を介して連設されている。
【００５６】
押ボタン部３５は、下端部１６ｂに突設される連結部２６と、連結部２６の下面外縁に変形可能な弱化部２７を介して垂設され、外方に突出して下方に延びる変形押ボタン３８とからなっている。
変形押ボタン３８の下部中央は、封緘受部３０の幅で切欠かれた下凹部３９が形成されている。
【００５７】
封緘片３６は、キャップ本体Ａの連結部１１の封緘受部３０の外側に挿入されるとともに、外周面が連結周壁３１の外周面に面一となる上部４０と、連結周壁３１の内面と段外面３０ｂとの間に挿入されるとともに、内側上端部が段外面３０ｂの縮径段部に係合する下部４１とからなり、上部４０の上端外縁が、複数の弱化連結部３７を介して変形押ボタン３８の下凹部３９の下面内縁に連設されている。
【００５８】
次に、本実施例のヒンジキャップの作用効果について説明する。
閉蓋の際には、上蓋Ｂの封緘片３６の下部４１が、キャップ本体Ａの連結部１１の封緘受部３０の連結周壁３１の内面と段外面３０ｂとの間に挿入され、封緘片３６が封緘受部３０に嵌合される。
【００５９】
開蓋の際に、上蓋Ｂの押ボタン部３５の変形押ボタン３８を内方へ押し込むと、図７（ｂ）に示すように、下端部３８ａが、キャップ本体Ａの外周筒部６の開蓋凹部１４の傾斜面１４ｂの外縁に当接し、さらに、傾斜面１４ｂを内方に摺動し、傾斜面１４ｂの傾斜によって変形押ボタン３８が上昇していく。
【００６０】
変形押ボタン３８の上昇に伴い、弱化連結部３７を介して封緘片３６を引張るが、封緘片３６の下部４１内周上端部と、封緘受部３０の段外面３０ｂの段部が係合し、封緘片３６の上昇を阻止する。
内方に摺動するとともに上昇する変形押ボタン３８と、封緘受部３０に嵌合して動かない封緘片３６との間に差異ができることで、互いを連結する弱化連結部３７が切断され、変形押ボタン３８と封緘片３６が離されていく。
その他の作用効果は、実施例２と同じである。
【００６１】
本実施例は、変形押ボタン３８の最初の押し込みにより、変形押ボタン３８と封緘片３６との間を連結する弱化連結部３７が切断され、離されるので、一度開封した後は、上蓋Ｂを閉蓋しても、外から弱化連結部３７の切断の有無を見て、開封の有無を知ることができ、不正開封を防止することができる。
【００６２】
また、変形押ボタン３８の下部に下凹部３９を設け、下凹部３９の下面内縁に弱化連結部３７を介して封緘片３６を連設しているので、弱化連結部３７が切断された後、尖った切断部に指などが当たることがなく、けがなどをすることを防止できる。
【００６３】
上記各実施例では、押ボタン部が外筒壁より外方に突出するように形成されているが、見栄えなどを考慮し、押ボタン部を外筒壁の下端から垂設するとともに、押ボタン部が閉蓋時に開蓋凹部内に収納され、外筒壁および外周筒部の外周から押ボタン部の外周面が外方に突出しないように設定してもよい。
【００６４】
上記各実施例では、キャップ本体の外周筒部が、外筒と、外筒のヒンジの反対側に突設される連結部と、外筒から一定の間隔を隔てて連結部の両方の外方側面から連設され、外周上端にヒンジを連設した外周壁とを具え、連結部に開蓋凹部を設け、キャップを分別廃棄する際に、ヒンジを介して外周壁を変形させ、次いで、連結部を介して外筒を変形させて分別廃棄をしているが、キャップの構成として、簡単な開蓋のみで、分別廃棄しなくてもよければ、外周筒部をキャップ本体の容器の口筒部外周に内周が係合する筒状の外周筒のみとし、外周筒の外周上端にヒンジを連設し、ヒンジの反対側の外周に開蓋凹部を設けるようにしてもよい。
キャップ本体の外周筒部の構成は、上記各実施例の形態に限定されない。
【産業上の利用可能性】
【００６５】
本発明は、ヒンジキャップを開蓋する際に、上蓋に設けた押ボタン部を押し込むことで、簡単かつ弱い力で上蓋とキャップ本体との嵌合を外し、開蓋することができ、さらに、不正開封を防止することができる各種の容器のヒンジキャップとして、広く利用することができる。
【符号の説明】
【００６６】
Ａ            キャップ本体
Ｂ            上蓋
Ｃ            ヒンジ
１            底壁
２            注出筒
３            リング状底壁
４            内筒
５            蓋係合筒部
６            外周筒部
７            弱化部
８            プルリング
９、１９      係合突部
１０          外筒
１１          連結部
１２          外周壁
１３          弱化片
１４          開蓋凹部
１４ａ        外面
１４ｂ        傾斜面
１５          頂壁
１６          外筒壁
１６ａ        突出部
１６ｂ        下端部
１６ｃ        薄肉壁部
１６ｄ        変形薄肉部
１７          内筒部
１８          係合部
２０          外周凹部
２１、２５、３５    押ボタン部
２１ａ、２８ａ、３８ａ    下端部
２２          変形用凹部
２６          連結部
２７          弱化部
２８、３８    変形押ボタン
３０          封緘受部
３０ａ        外面
３０ｂ        段外面
３０ｃ        側面
３１          連結周壁
３６          封緘片
３７          弱化連結部
３９          下凹部
４０          上部
４１          下部
【図１】
2014125256.tif 000003
【図２】
2014125256.tif 000004
【図３】
2014125256.tif 000005
【図４】
2014125256.tif 000006
【図５】
2014125256.tif 000007
【図６】
2014125256.tif 000008
【図７】
2014125256.tif 000009